(57)【要約】【課題】  口栓の脱着を容易にするとともに、装着した状態では外れ難い玉の柄用口栓を提供する点にある。【解決手段】  口栓５の内周面に、一番竿１の先端に口栓５を外嵌装着した状態で、一番竿１の先端外周面に竿軸線方向に沿って形成した外向き摩擦保持部１Ａと雄ネジ部１Ｂに対して、外向き摩擦保持部１Ａに接触する内向き摩擦保持部５Ｄと雄ネジ部１Ｂのネジに螺合する雌ネジ部５Ｅとを形成してある。【選択図】        図２
2006191898.tif 000002
【特許請求の範囲】
【請求項１】
一番竿の先端外周面に竿軸線方向に沿って形成した外向き摩擦保持部と雄ネジ部に対して、前記外向き摩擦保持部に接触する内向き摩擦保持部と前記雄ネジ部のネジに螺合する雌ネジ部とを形成してある玉の柄の口栓。
【請求項２】
前記内向き摩擦保持部の前記軸線方向に沿った長さを、前記雌ネジ部の前記軸線方向に沿った長さよりも長くし、前記内向き摩擦保持部の内径を前記雌ネジ部のピッチ径よりも小径に形成してある請求項1記載の玉の柄の口栓。
【請求項３】
前記雌ネジ部の前記軸線方向に沿った長さを、前記内向き摩擦保持部の前記軸線方向に沿った長さよりも長くし、前記雌ネジ部のピッチ径を前記内向き摩擦保持部の内径よりも小径に形成してある請求項1記載の玉の柄の口栓。
【請求項４】
一番竿の先端外周面に竿軸線方向に沿って外向き摩擦保持部と雄ネジ部とを形成するとともに、一番竿の先端に装着される口栓の内周面に、一番竿の先端に口栓を外嵌装着した状態で、前記外向き摩擦保持部に接触する内向き摩擦保持部と前記雄ネジ部のネジに螺合する雌ネジ部とを形成し、前記外向き摩擦保持部と前記内向き摩擦保持部とを、先端側程小径となるテーパ面に形成してある玉の柄。
【請求項５】
前記口栓の外周面に、元竿の竿先端を嵌合する外向き嵌合面を形成してある請求項1から４のうちのいずれか一つに記載の玉の柄。
【発明の詳細な説明】
【技術分野】
【０００１】
本発明は、先端に釣り上げた魚を海面より掬い取るタモ網を取り付けてある玉の柄、及び、その玉の柄の一番竿に装着される口栓に関する。
【背景技術】
【０００２】
この種の玉の柄は、一番竿を含む複数本の竿を振出竿として構成したものであり、一番竿の先端を保護し竿内への異物の侵入を阻止すべく口栓を備えているが、この口栓を一番竿の先端にネジ止め固定する構成を採っていた（特許文献１参照）。
【０００３】
【特許文献１】特開２００４−１２９５３２号公報（段落番号〔００１１〕、図１）
【発明の開示】
【発明が解決しようとする課題】
【０００４】
上記したように、ネジ止め固定する構成では、タモ網を取り付けてない状態では、ネジが緩みを生ずると口栓が一番竿から外れることがある。したがって、外れを防止するために口栓を一番竿に接着固定することも行っていたが、玉の柄が振出式の竿体で構成されているので、一番竿を二番竿の竿尻開口から抜き出すことができず、玉の柄を水洗いする等のメインテナンス時に難儀することもあり、接着固定する方策は好ましいものではなかった。
【０００５】
本発明の目的は、口栓の脱着を可能としながら、外れにくい口栓及びそのような口栓を備えた玉の柄を提供する点にある。
【課題を解決するための手段】
【０００６】
〔構成〕
請求項１に係る発明の特徴構成は、一番竿の先端外周面に竿軸線方向に沿って形成した外向き摩擦保持部と雄ネジ部に対して、前記外向き摩擦保持部に接触する内向き摩擦保持部と前記雄ネジ部のネジに螺合する雌ネジ部とを形成してある点にあり、その作用効果は次の通りである。
【０００７】
〔作用〕
つまり、口栓と一番竿とに亘って摩擦保持部とネジ部とを形成することによって、摩擦保持部によって口栓が竿の周方向に回転することを阻止でき、これによって、口栓が緩むことを阻止できる。そして、口栓が軸線方向に移動しようとしてもネジ部によって阻止できる。
【０００８】
〔効果〕
以上のように、摩擦保持部とネジ部とを形成することによって、互いの協働作用により、口栓の緩みと抜出しとを阻止でき、かつ、口栓を取り外してのメインテナンス作業を容易に行い得ることができた。
【０００９】
請求項２に係る発明の特徴構成は、前記内向き摩擦保持部の前記軸線方向に沿った長さを、前記雌ネジ部の前記軸線方向に沿った長さよりも長くし、前記内向き摩擦保持部の内径を前記雌ネジ部のピッチ径よりも小径に形成してある点にあり、その作用効果は次の通りである。
【００１０】
〔作用効果〕
つまり、口栓を一番竿の先端に取り付ける際には、口栓の後端開口から一番竿に外嵌させていくが、軸線方向に沿った長さがながく、かつ、小径に形成されている内向き摩擦保持部に対して一番竿の外向き摩擦保持部が内嵌されていくので、摩擦保持部同士の嵌合によって口栓と一番竿との軸芯が一定に維持されて、ネジ部の螺合を容易に行え、口栓の取り付けを容易に行うことができる。
【００１１】
請求項３に係る発明の特徴構成は、前記雌ネジ部の前記軸線方向に沿った長さを、前記内向き摩擦保持部の前記軸線方向に沿った長さよりも長くし、前記雌ネジ部のピッチ径を前記内向き摩擦保持部の内径よりも小径に形成してある点にあり、その作用効果は次の通りである。
【００１２】
〔作用効果〕
つまり、口栓を一番竿の先端に取り付ける際には、口栓の後端開口から一番竿に外嵌させていくが、軸線方向に沿った長さが長く、かつ、小径に形成されている雌ネジ部に対して一番竿の雄ネジ部が内嵌されていくので、口栓と雄ネジ部とのネジ嵌合が進むにつれて摩擦保持部同士の嵌合が開始されるが、口栓と一番竿との軸芯が一定に維持された状態で、摩擦保持部同士の嵌合が進むので、嵌合を容易に行えるとともに、口栓の取り付けを容易に行うことができる。
【００１３】
請求項４に係る発明の特徴構成は、一番竿の先端外周面に竿軸線方向に沿って外向き摩擦保持部と雄ネジ部とを形成するとともに、一番竿の先端に装着される口栓の内周面に、一番竿の先端に口栓を外嵌装着した状態で、前記外向き摩擦保持部に接触する内向き摩擦保持部と前記雄ネジ部のネジに螺合する雌ネジ部とを形成し、前記外向き摩擦保持部と前記内向き摩擦保持部とを、先端側程小径となるテーパ面に形成してある点にあり、その作用効果は次の通りである。
【００１４】
〔作用効果〕
つまり、口栓を一番竿の先端に取り付ける際には、口栓の後端開口から一番竿に外嵌させていくが、雌ネジ部に対して一番竿の雄ネジ部が螺合されていく。一方、摩擦保持部同士は、テーパ面に形成されているので、ネジ部同士の螺合が進んでいく過程では摩擦保持部同士が接触することはない。
したがって、口栓をネジ込んでいく際は、摩擦保持部によって抵抗は発生しないので、容易にネジ込み操作が行える。
ネジ込みが完了すると、初めて、摩擦保持部同士が接触して摩擦保持力が発揮される。
このことによって、口栓の取り付け取り外しが容易に行えながら、摩擦保持部同士の摩擦保持力によって、口栓の緩み止め機能が発揮される。
【００１５】
請求項５に係る発明の特徴構成は、前記口栓の外周面に、元竿の竿先端を嵌合する外向き嵌合面を形成してある点にあり、その作用効果は次の通りである。
【００１６】
〔作用効果〕
つまり、一番竿の先端に取り付けた口栓に元竿を外嵌固定することができるので、元竿内に一番竿を収納した収縮状態にでき、口栓によって玉の柄を収縮状態に維持でき、口栓の有効利用が図れる。
【発明を実施するための最良の形態】
【００１７】
〔第１実施形態〕
振出竿式の玉の柄Ａについて説明する。
振出竿式の玉の柄Ａは、図１に示すように、一番竿１と、二番竿２、三番竿３、元竿４とを備えて、構成されている。一番竿１には口栓５を装備し、元竿４の竿尻端には尻栓６が設けてある。
玉の柄Ａは、一番竿１、二番竿２、三番竿３を元竿４内に収納する収縮状態と一番竿１、二番竿２、三番竿３を元竿４より引き出した伸長状態とに切換可能に構成されている。
【００１８】
一番竿１等の各竿体は、炭素繊維等の強化繊維を引き揃え、その引き揃えた強化繊維群に、エポキシ等の熱硬化性樹脂を含浸させて形成したプリプレグを所定の形状に裁断し、その裁断したメインパターンをマンドレルに巻回し、巻回したものを焼成して、所定の寸法に切断して、形成される。
【００１９】
一番竿１の先端には、魚を掬い取るタモ網Ｂが取付られる。その取り付け構造を説明する。図１及び図２に示すように、タモ網Ｂは、網本体７と枠体８とからなり、枠体８に一番竿１への装着部８Ａが形成されている。装着部８Ａには雄ネジ軸８ａが突設されている。
一方、一番竿１の先端内には取付用スリーブ９が嵌め込み固定してあり、その取付用スリーブ９の内周面に雌ネジ部９ａが形成されている。
以上のようなネジ部構造によって、図２（ハ）に示すように、タモ網Ｂの雄ネジ軸８ａを取付用スリーブ９の雌ネジ部９ａに螺合させることによって、タモ網Ｂを玉の柄Ａに取り付けることができる。
【００２０】
口栓５と一番竿１との取り付け構造について説明する。図１及び図２に示すように、口栓５は、その外周面に、前端側から後端側に掛けて、大径摘まみ部５Ａと、中径元竿用嵌合部５Ｂと、小径逃げ部５Ｃとを形成して構成されており、かつ、その内周面に、前端側から後端側に掛けて、小径の内向き摩擦保持部５Ｄと、大径の雌ネジ部５Ｅとを形成して構成されている。
【００２１】
大径摘まみ部５Ａには、ローレット加工が施してあり、摘まみ易い構造になっている。また、中径元竿用嵌合部５Ｂには、竿の軸線方向に沿った溝５ａが周方向に複数個設けてあり、元竿４を内嵌合する際に、摩擦抵抗を軽減しながら、溝５ａを形成されていない平坦部分での密着性を良好なものにする構成としてある。このように、溝５ａの形成によって、寸法誤差等に起因して全周面を元竿４の内周面に接触させる難しさを緩和する構成となっている。
口栓５はゴム製のものであり、アクリロニトリルーブタジエンゴム（ＮＢＲ）でできている。但し、このゴムに相当する硬度を有するものであれば、合成樹脂を材料とすることもできる。
【００２２】
一番竿１には、図２（イ）に示すように、竿先端から竿尻側に向けて、小径の外向き摩擦保持部１Ａと大径の雄ネジ部１Ｂとが形成してあり、図２（ロ）に示すように、口栓５を一番竿１に装着した状態で、外向き摩擦保持部１Ａが口栓５の内向き摩擦保持部５Ｄ内に嵌合圧接するとともに、雄ネジ部１Ｂが口栓５の雌ネジ部５Ｅに螺合して、装着状態を維持する構成となっている。
【００２３】
図２（ハ）に示すように、一番竿１にタモ網Ｂを取り付けた際には、タモ網Ｂの装着部８Ａの側面８ｂを、口栓５の前面５ｄに当接させている。口栓５は前記したようにゴム製でありその弾性変形性により軸線方向に圧縮される。これによって、口栓５はタモ網Ｂと一番竿１とに離間する方向の力を作用させるところから、タモ網Ｂ側のネジ軸８ａとスリーブ９との螺合状態を維持する機能を発揮することになる。
【００２４】
玉の柄Ａは振出竿式のものであるので、各竿体を伸長させた使用状態から各竿体を短縮させた状態とに切り換えられるものであるが、第２図（ロ）に示すように収縮状態に設定すると、元竿４の竿先端開口が口栓５の中径元竿用嵌合部５Ｂに外嵌し、その収縮状態を維持するようになっている。
【００２５】
〔第２実施形態〕
ここでは、口栓５に形成される内向き摩擦保持部５Ｄと雌ネジ部５Ｅの形成位置を、入れ替えた状態で形成したものを示す。この入れ替えに対応して一番竿１における外向き摩擦保持部１Ａと雄ネジ部１Ｂとの形成位置を変更する構成について説明する。図３に示すように、口栓５の前端側に小径の雌ネジ部５Ｅを形成するとともに、後端側に大径の摩擦保持部５Ｄを形成し、軸線方向での長さを摩擦保持部５Ｄに比べて雌ネジ部５Ｅの長さを長くしてある。
【００２６】
一方、一番竿１においては、図３に示すように、竿先端から竿尻側に向けて、小径の雄ネジ部１Ｂと大径の外向き摩擦保持部１Ａとが形成してあり、図示はしていないが、尻栓５を一番竿１に装着した状態で、外向き摩擦保持部１Ａが口栓５の内向き摩擦保持部５Ｄ内に嵌合圧接するとともに、雄ネジ部１Ｂが尻栓５の雌ネジ部５Ｅに螺合して、装着状態を維持する構成となっている。
【００２７】
このような構成によって、口栓５を一番竿１の先端に取り付ける際には、口栓５の後端開口５ｂから一番竿１に外嵌させていくが、軸線方向に沿った長さが長く、かつ、小径に形成されている雌ネジ部５Ｅに対して一番竿１の雄ネジ部１Ａが内嵌されていくので、口栓５と雄ネジ部１Ａとのネジ嵌合が進むにつれて摩擦保持部１Ａ，５Ｄ同士の嵌合が開始されるが、口栓５と一番竿１との軸芯が一定に維持された状態で、摩擦保持部同士の嵌合が進むので、嵌合を容易に行えるとともに、口栓の取り付けを容易に行うことができる。
【００２８】
上記構成においては、口栓５に形成された内向き摩擦保持部５Ｄの軸線方向長さは、雌ネジ部５Ｅの軸線方向長さよりは短くなっているが大径に形成されているので、摩擦保持力を高く採ることが出来て、ネジ部での緩み止め効果を高くできる。
【００２９】
〔第３実施形態〕
ここでは、口栓５に形成される内向き摩擦保持部５Ｄと雌ネジ部５Ｅの形成位置を、第１実施形態のものと同一にしながら、内向き摩擦保持部５Ｄの形状を変更したものについて説明する。この変更に対応して一番竿１における外向き摩擦保持部１Ａの形状を変更する構成について説明する。図４に示すように、口栓５の前端側に内向き摩擦保持部５Ｄを形成するとともに後端側に雌ネジ部５Ｅを形成し、軸線方向での長さを摩擦保持部５Ｄに比べて雌ネジ部５Ｅの長さを短くしてある。
【００３０】
一方、一番竿１においては、図３に示すように、竿先端から竿尻側に向けて、外向き摩擦保持部１Ａと雄ネジ部１Ｂとが形成してあり、図示はしていないが、尻栓５を一番竿１に装着した状態で、外向き摩擦保持部１Ａが口栓５の内向き摩擦保持部５Ｄ内に嵌合圧接するとともに、雄ネジ部１Ｂが尻栓５の雌ネジ部５Ｅに螺合して、装着状態を維持する構成となっている。
【００３１】
口栓５に形成された内向き摩擦保持部５Ｄは、前端開口５ｃ側が小径で後端側大径に形成されており、摩擦保持部５Ｄがテーパ面となっている。このことに対応して、一番竿１に形成されている外向き摩擦保持部１Ａも竿先側が小径で竿尻側程大径となるテーパ面に形成されて、口栓５を一番竿１に取り付けた状態で摩擦保持部１Ａ、５Ｄ同士が接触するように構成してある。
【００３２】
以上のような構成によって、口栓５を一番１竿の先端に取り付ける際には、口栓５の後端開口５ｂから一番竿１に外嵌させていくが、雌ネジ部５Ｅに対して一番竿１の雄ネジ部１Ａが螺合されていく。一方、摩擦保持部１Ａ、５Ｄ同士は、テーパ面に形成されているので、ネジ部１Ａ、５Ｅ同士の螺合が進んでいく過程では摩擦保持部１Ａ、５Ｄ同士が接触することはない。
したがって、口栓５をネジ込んでいく際は、摩擦保持部１Ａ、５Ｄによって抵抗は発生しないので、容易にネジ込み操作が行える。
ネジ込みが完了すると、初めて、摩擦保持部１Ａ、５Ｄ同士が接触して摩擦保持力が発揮される。
このことによって、口栓５の取り付け取り外しが容易に行えながら、摩擦保持部１Ａ、５Ｄ同士の摩擦保持力によって、口栓５の緩み止め機能が発揮される。
【００３３】
〔別実施の形態〕
（１）  口栓５の軸線方向長さを十分に長いものにできるものであるならば、摩擦保持部５Ｄと雌ネジ部５Ｅとを夫々軸線方向に沿って複数個形成し、それらの径が互いに異なるものにして、外径が異なる仕様の一番竿１に適用できるようにしてもよい。
（２）  口栓５の材質としては、樹脂の表面にメッキ等を施したものでもよい。
【図面の簡単な説明】
【００３４】
【図１】玉の柄とタモ網とを示す斜視図
【図２】口栓と一番竿と元竿とを示し、（イ）は、口栓を一番竿に取り付ける前の状態を示す縦断側面図、（ロ）は、口栓を一番竿に取り付けた状態を示す縦断側面図、（ハ）は、タモ網を一番竿に取り付けた状態を示す縦断側面図、
【図３】口栓の別実施構造を示す縦断側面図
【図４】口栓の別実施構造を示す縦断側面図
【符号の説明】
【００３５】
１              一番竿
１Ａ            摩擦保持部
１Ｂ            雄ネジ部
５              口栓
５Ｄ            摩擦保持部
５Ｅ            雌ネジ部
Ａ              玉の柄
【図１】
2006191898.tif 000003
【図２】
2006191898.tif 000004
【図３】
2006191898.tif 000005
【図４】
2006191898.tif 000006